(57)【要約】【課題】  短くなった鉛筆同士を違和感なくしかも一直線上に段差なく、確実に嵌合させ最良の鉛筆長さを確保することで、いままで短くなり捨てていた鉛筆を無駄無く使い切ることが可能となる。すべての人が鉛筆の使い方は、ジョイントして無駄無く使い切ると言う考えが当たり前の状態となる。そのことで資源の無駄使いをなくすと言う考えが、消費者や製造者にも周知させることに繋がる。【解決手段】  上記課題を解決するために、本発明は、鉛筆製造段階において鉛筆元部分に肩付き円錐形状凹型を形成し、それと嵌合するように筆記具として使用時の鉛筆先端形状を肩付き円錐形状凸型に切削させた、使用中の短い鉛筆同士をジョイントできる鉛筆で、上記の肩付き円錐形状凹型の木口部分に接着剤を内包した木口保護材を付着して、出荷することにより消費者は手軽に短くなった鉛筆を接続することが出来る。又、鉛筆先端形状を肩付き円錐形状凸型に切削する刃物図５は、凹型形状を個人で加工するより容易にできる。【選択図】図１
2007283739.tif 000002
【特許請求の範囲】
【請求項１】
鉛筆製造段階において鉛筆元部分に肩付き円錐形状凹型を形成し、それと嵌合するように筆記具として使用時の鉛筆先端形状を肩付き円錐形状凸型に切削された、使用中の短い鉛筆同士をジョイントできる鉛筆。
【請求項２】
上記の肩付き円錐形状凹型の木口部分に接着剤を内包した木口保護材を付着してある［請求項１］の機能を有したジョイントできる鉛筆。
【請求項３】
鉛筆先端形状を肩付き円錐形状凸型に切削する刃物。
【請求項４】
鉛筆先端形状を肩付き円錐形状凸型に切削する刃物と、けがき用の刃を取付けた鉛筆削り器。
【発明の詳細な説明】
【技術分野】
【０００１】本発明は、肩付きジョイント鉛筆に関するものである。
【背景技術】
【０００２】  無駄無く鉛筆を使いきるために短くなった鉛筆同士を別器具で挟んだり、接合して長くして必要長さを確保するなど様々な方法が特許、実用新案登録されているが未だ製品化して文具用品売り場に並んでいるのを見たことがない。この原因は、今までに出ている特許、考案の未熟さもあるが、使用する側の物を祖末にしないと言う意識の低さと、供給する側の低価格の鉛筆に製造コストを掛けられない又は、エコ意識の低さが原因と思われる。
従来の接続する鉛筆には、
【特許文献１】特開２００３−１１２４９４号は、円錐形状のおす、めすにより鉛筆をつなぐようになっているが、製造段階でめす加工されておらず接続する時に使用者が専用の円錐形状めす加工する掘削機が必要になり、普及の足かせになっている。また本考案と特に違うところは、だだの円錐形であれば同文献の図４をみてわかるように接続部分外周面に一律の窪地ができるため違和感があり一体感に欠ける。
【発明の開示】
【発明が解決しようとする課題】
【０００３】  本発明は、短くなった鉛筆同士を違和感なくしかも一直線上に段差なく、確実に嵌合させ最良の鉛筆長さを確保することで、いままで短くなり捨てていた鉛筆を無駄無く使い切ることが可能となる。すべての人が鉛筆の使い方は、ジョイントして無駄無く使い切ると言う考えが当たり前の状態となる。そのことで資源の無駄使いをなくすと言う考えが、消費者や製造者にも周知させることに繋がる。
【課題を解決するための手段】
【０００４】  上記課題を解決するために、本発明は、鉛筆製造段階において鉛筆元部分に肩付き円錐形状凹型を形成し、それと嵌合するように筆記具として使用時の鉛筆先端形状を肩付き円錐形状凸型に切削させた、使用中の短い鉛筆同士をジョイントできる鉛筆で、上記の肩付き円錐形状凹型の木口部分に接着剤を内包した木口保護材を付着して、出荷することにより消費者は手軽に短くなった鉛筆を接続することが出来る。又、鉛筆先端形状を肩付き円錐形状凸型に切削する刃物図５は、凹型形状を個人で加工するより容易にできる。
【発明の効果】
【０００５】  本発明の肩付き円錐形状凹型と肩付き円錐形状凸型のジョイントは、古来から行われている木工技術のほぞ加工の知恵である。凹の字を見ても凸の字を見てもわかるように、ほぞ穴、ほぞの元部分には必ず水平面の肩部が存在している。一般にほぞ加工で重要なのは、木目方向のほぞ穴とほぞの関係と肩部分の加工精度であり、その部分が上手に加工されていると丈夫できれいな組み手、継ぎ手を作ることが出来る。また鉛筆の長さは、１７５ミリ前後とされているが、製造段階で肩付き円錐形状凹型を加工すると言うことは、芯を初めから１５〜２０ミリほど短く切断しておき、鉛筆形状を形成する木材に挟むことが可能であり鉛筆製造原価を下げること、省資源化にも繋がる。
【発明を実施するための最良の形態】
【０００６】  本発明の実施を説明する。図１のように鉛筆製造段階において鉛筆元部分に肩付き円錐形状凹型を形成００２、木口部分に接着剤を内包した木口保護材を付着００４して製造出荷する。円錐形状凹型００２の元部分は、直径６ミリとしそれと嵌合するように肩付き円錐形状凸型００３を鉛筆使用時に切削して使用する。６角形状鉛筆のそれぞれの向き合う面の径寸法は、７〜７．２ミリ前後なので、水平の肩部分１０１は、図２の０．５〜０．６ミリになる。
発明の効果の項でも説明したように、ほぞの重要な部分は、ほぞの元部分と肩部分であるので肩付き円錐形状凹型００２は、肩部分から６ミリ位奥まで嵌合する肩付き円錐形状凸型００３と同一形状、寸法であれば良く、いわば先端奥まで同一形状、寸法の必要はない。
複数の鉛筆を使用している内に何度となく切削された鉛筆は、当然のごとく短くなり使用しづらい長さになる。図３は、短い１本の鉛筆の肩付き円錐形状凹型００２の木口部分に肩付き円錐形状凸型００３を押し当て接着剤を内包した木口保護材００４を鉛筆の先で突き刺すことにより接着剤が出て、ほぞ面に塗布され００５さらに押し込むことにより肩付き円錐形状凹型００２と肩付き円錐形状凸型００３のそれぞれの肩部分が密着１０２されることにより、違和感なく段差のない一体感のある一本の鉛筆に甦ることになる。【０００７】  手動の鉛筆削り器で肩付き円錐形状凸型を切削する刃物図５は、刃先側面の縁部分を任意の角度にしておく。【０００８】  手動の鉛筆削り器で肩付き円錐形状凸型の肩部分をさらに良く加工するために、けがき用の刃を取り付ける。
【図面の簡単な説明】
【図１】肩付き円錐形状凹型加工し木口に接着剤を内包した保護材を付着された鉛筆側面透視図である。
【図２】肩付き円錐形状凹型加工の寸法を記した、正面拡大図である。
【図３】短くなった鉛筆の接続状態を表した側面透視図である。
【図４】肩付き円錐形状凸型の側面拡大である。
【図５】肩付き円錐形状凸型を加工する刃の刃先正面図
【図６】肩付き円錐形状凸型を加工する刃物とけがき用の刃を取付けた鉛筆削り器、正面図。
【符号の説明】
００１    ６角形状鉛筆本体
００２    肩付き円錐形状凹型
００３    肩付き円錐形状凸型
００４    接着剤を内包した木口保護材
００５    接着剤が塗布された状態
１０１    ほぞの肩部分
１０２    接続された肩部分
１０３    肩付き円錐形状凸型を加工する刃
１０４    肩付き円錐形状凸型の肩部分のけがき用の刃
【図１】
2007283739.tif 000003
【図２】
2007283739.tif 000004
【図３】
2007283739.tif 000005
【図４】
2007283739.tif 000006
【図５】
2007283739.tif 000007
【図６】
2007283739.tif 000008